(57)【要約】【課題】  本発明は、自然の太陽光を利用して墓石の外観の意匠性を向上させることができる墓石を提供することを目的とする。【解決手段】墓石１の前方に、太陽光を反射させて墓石の表面に照射させる反射装置２が設置されている。この反射装置２は、ホログラムシート２１a付きの反射部材２１と保護ケース２２とからなる。太陽光が反射部材２１で反射して、ホログラムシート２１aにより虹色のような態様で墓石１の表面に照射する。【選択図】      図１
2011144566.tif 000002
【特許請求の範囲】
【請求項１】
墓石の前方に、太陽光を反射させて墓石の表面に照射させる反射部材が設置されていることを特徴とする墓石。
【請求項２】
前記反射部材は、反射面にホログラムシートが展設されている請求項１に記載の墓石。
【請求項３】
前記墓石と前記反射部材の間に、太陽光を分散するプリズム部材が配設されている請求項１に記載の墓石。
【請求項４】
前記反射部材は、反射面の角度を上下左右に自在に変更し得るものである請求項１から請求項３のいずれかに記載の墓石。
【請求項５】
前記反射部材は、保護ケース内に収容され、該保護ケースは太陽の入射方向と反射方向に透明窓が設けられている請求項１から請求項４のいずれかに記載の墓石。
【発明の詳細な説明】
【技術分野】
【０００１】
本発明は、太陽光を利用した反射機能が付いた墓石に関するものである。
【背景技術】
【０００２】
従来、墓石は、主に灰色や黒色の石材からなり、和型や洋型などの形状のものが知られている。特に近年では、個人のニーズの多様化から様々な墓石が提案されている。
【０００３】
例えば、墓石を構成する石材に、太陽電池パネルと照明部と光センサが表面に位置するように、前記照明部、前記太陽電池パネル、前記光センサ、蓄電部、制御部等を備えた太陽電池式照明器具を設けた墓石がある（特許文献１参照）。
【０００４】
また、墓石に対して、日時計という時刻の流れに人生という時の流れを重ねて象徴化した墓石がある（特許文献２参照）。
【０００５】
さらに実際には墓石が存在しないが、三次元映像で墓石を立体的に投影するものがある（特許文献３参照）。
【先行技術文献】
【特許文献】
【０００６】
【特許文献１】特開２００５−１８８２７８号公報
【特許文献２】特開平９−２５６６８３号公報
【特許文献３】特開平６−２５７３２８号公報
【発明の概要】
【発明が解決しようとする課題】
【０００７】
このように特に光を利用した墓石が提案されているが、いずれも外観の意匠性に乏しく、また構成が複雑で設置コストが高いという問題があった。
【０００８】
本発明は、上述の問題に鑑みてなされたものであって、簡易な構成にして、墓石の外観の意匠性を向上させることができる墓石を提供することを目的とする。
【課題を解決するための手段】
【０００９】
本発明は、上記目的を達成するために、墓石の前方に、太陽光を反射させて墓石の表面に照射させる反射部材が設置されていることを特徴とする。これによれば自然の太陽光が反射部材で反射して墓石の表面を照射するため、墓石が光り輝いたようになり、簡易な構成にして外観の意匠性を向上させることができる。
【００１０】
また、前記反射部材は、反射面にホログラムシートが展設されるのが好ましい。これによれば反射部材を反射した太陽光はホログラムシートにより虹色のような態様で墓石の表面に照射するため、墓石の表面にあたかも天国の雰囲気を映し出したように見えることができる。特にホログラム部材は安価なものであるため、設置に際しても製造コストを低く抑えることが可能となる。
【００１１】
また、前記墓石と前記反射部材の間に、太陽光を分散するプリズム部材が配設されてもよい。これによば反射部材を反射した太陽光はホログラム部材により虹色のような態様で墓石の表面に照射するため、墓石の表面があたかも天国の雰囲気を映し出したように見えることができる。特にプリズム部材はホログラム部材よりも高価ではあるが、太陽光を効率よく分光することで虹色を非常に鮮明に映し出すことが可能となる。
【００１２】
また、前記反射部材は、反射面の角度を上下左右に自在に変更し得るのが好ましい。これによれば太陽光と墓石の位置や方向に応じて反射部材の角度を適宜変更することができ、設置工事の際の調整も簡単になり便利である。
【００１３】
また、前記反射部材は、保護ケース内に収容され、該保護ケースは太陽の入射方向と反射方向に透明窓が設けられているのが好ましい。これによれば反射部材を風雨から保護しながらも、透明窓により太陽光の入射と反射を確実に行うことができる。
【発明の効果】
【００１４】
本発明によれば、これによれば自然の太陽光が反射部材で反射して墓石の表面を照射するため、墓石が光り輝いたようになり、簡易な構成にして外観の意匠性を向上させることができる。特に反射部材にホログラムシートを展設したり、あるいは別途プリズム部材を配設した場合、反射部材を反射した太陽光はホログラムシートにより虹色のような態様で墓石の表面に照射するため、墓石の表面にあたかも天国の雰囲気を映し出したように見えることができ、墓位置の外観の意匠性をより一層向上させることが可能となる。
【図面の簡単な説明】
【００１５】
【図１】墓石の平面図である。
【図２】墓石の正面図である。
【図３】墓石の側面図である。
【図４】他の実施形態にかかる墓石の側面図である。
【発明を実施するための形態】
【００１６】
次に本発明の一実施形態に係る墓石１について図面を参照しつつ説明する。
【００１７】
本墓石１は、洋風の形状をした墓石であって、地面に載置される芝台１１と、該芝台１１の上面に載置される中台１２と、該中台１２の上部に前方斜めに傾斜するように設置される拝石１３とを備えてなり、墓地の所定の区画に設けられる。
【００１８】
また、本墓石１の中台１２の前方両側部には花立石１４が設けられ、墓参者が本墓石１に来られたときに菊等の花束を花立石１４の上部の穴に挿入できるようになっている。
【００１９】
また、本墓石１の中台１２の前方部は段下の供物台１２ａが設けられ、同じく墓参者が供物を置くことができるようになっている。
【００２０】
本実施形態では、説明の便宜上、構成を簡易にしているが、その他にも花蓮台、骨蓋、風防灯、墓誌、灯篭、外柵などが設けられてもよい。
【００２１】
本墓石１の前方における芝台１１の上面には、反射装置２が設けられている。この反射装置２は、太陽光を反射させる反射部材２１と、該反射部材２１を保護しながら収容する保護ケース２２とからなる。
【００２２】
前記反射部材２１は、その反射面にホログラムシート２１ａが展設されている。このホログラムシート２１ａの作用効果については後述する。
【００２３】
また、前記反射部材２１は、反射面の角度を上下左右自在に変更できるようになっており、墓石設置の際に作業者はもとより、墓参者も簡単に反射面の角度を変更できるようになっている。
【００２４】
前記保護ケース２２は、太陽光が入射する方向の上面に入射用透明窓２２ａが設けられるともに、太陽光が反射する方向の後面に反射用透明窓２２ｂが設けられている。これら入射用透明窓２２ａおよび反射用透明窓２２ｂは、いずれも保護ケース２２の所定箇所に穿設されて長方形状の孔部に透明のガラス板又は合成樹脂板が取り付けられてなる。
【００２５】
なお、保護ケース２２の材質は特に限定されるものではなく、墓石と同様に石材からなるものであってもよいし、あるいはコストを低くするために金属や剛性樹脂からなるものであってもよい。
【００２６】
而して、反射部材２１を所定の角度に設置すると、図３の矢印に示すように、太陽光が保護ケース２２の入射用透明窓２２ａから入射して、反射部材２１で反射したあと、保護ケース２２の反射用透明窓２２ｂから出射して、本墓石１の拝石１３の表面に照射される。
【００２７】
このため図１および図２のＡ部に示すように、本墓石１、特に拝石１３が光り輝いたようになり外観の意匠性を向上させることができる。特に本実施形態では、反射部材２１の反射面にホログラムシート２１ａを展設したため、反射部材２１を反射した太陽光はホログラムシート２１aにより虹色のような態様で本墓石１の表面に照射するため、本墓石１の表面にあたかも天国の雰囲気を映し出したように見えることができる。特にホログラムシート２１aは安価なものであるため、製造コストを低く抑えることができる。
【００２８】
なお、本実施形態では、本墓石１を洋風墓石としたが、和風墓石やその他の形態の墓石であってもよい。
【００２９】
また、虹色の効果を出すために反射部材２１の反射面にホログラムシート２１ａを設けるものとしたが、その代わりに太陽光を分散するプリズム部材を設けてもよい。すなわち、図４に示すように、墓石と前記反射部材２１の間に、太陽光を分散するプリズム部材３を配設する。本実施形態では、特に高価なプリズム部材３も保護するために保護ケース２２内に配設している。これによればプリズム部材３はホログラムシート２１aよりも高価ではあるが、太陽光を効率よく分光することで虹色を非常に鮮明に映し出すことが可能となる。
【符号の説明】
【００３０】
１・・・墓石
１１・・・芝台
１２・・・中台
１３・・・拝石
１４・・・花立石
２・・・反射装置
２１・・・反射部材
２２・・・保護ケース
【図１】
2011144566.tif 000003
【図２】
2011144566.tif 000004
【図３】
2011144566.tif 000005
【図４】
2011144566.tif 000006